(57)【要約】  資産追跡の方法の例は、１つまたは複数の位置決めデバイスのそれぞれから、対応する位置識別（ＩＤ）値を受信することと、各受信された位置ＩＤ値と関連付けられる階層値を決定することと、各受信された位置ＩＤ値と各決定された階層値に基づいて資産位置情報を決定することと、決定された資産位置情報を受信機に送信することと、を含む。
2017504003.tif 000002
【特許請求の範囲】
【請求項１】
資産追跡の方法であって、
前記方法は、
１つまたは複数の位置決めデバイスのそれぞれから、対応する位置識別（ＩＤ）値を受信することと、
各受信された位置ＩＤ値と関連付けられる階層値を決定することと、
各受信された位置ＩＤ値と各決定された階層値に基づいて資産位置情報を決定することと、
前記決定された資産位置情報を受信機に送信することと、
を備える、方法。
【請求項２】
各受信された位置ＩＤ値と関連付けられる前記階層値を決定することは、
受信された第１の位置ＩＤ値が第１の階層と関連付けられると決定することと、
受信された第２の位置ＩＤ値が第２の階層と関連付けられると決定することと、
を備える、請求項１に記載の方法。
【請求項３】
前記資産位置情報を決定することは、前記第１の階層と関連付けられる前記第１の位置ＩＤ値のみにしたがって、前記資産位置情報を決定することを備える、請求項２に記載の方法。
【請求項４】
前記第１の階層と関連付けられる前記第１の位置ＩＤ値のみにしたがって、前記資産位置情報を決定することは、前記第１の階層が精細粒度の位置情報と関連付けられ、前記第２の階層が粗い粒度の位置情報と関連付けられると決定することを備える、請求項３に記載の方法。
【請求項５】
前記資産位置情報を決定することは、前記第１の階層と関連付けられる前記第１の位置ＩＤ値と前記第２の階層と関連付けられる前記第２の位置ＩＤ値の両方にしたがって、前記資産位置情報を決定することを備える、請求項２に記載の方法。
【請求項６】
前記第１の階層と関連付けられる前記第１の位置ＩＤ値と前記第２の階層と関連付けられる前記第２の位置ＩＤ値の両方にしたがって、前記資産位置情報を決定することは、前記資産位置情報内に、前記第１の位置ＩＤ値と前記第２の位置ＩＤ値の両方を含むことを備える、請求項５に記載の方法。
【請求項７】
各受信された位置ＩＤ値と関連付けられる前記階層値を決定することは、
受信された第１の位置ＩＤ値が第１の階層と関連付けられると決定することと、
受信された第２の位置ＩＤ値が前記第１の階層と関連付けられると決定することと、
を備える、請求項１に記載の方法。
【請求項８】
各決定された階層値に基づいて前記資産位置情報を決定することは、前記受信された第１の位置ＩＤ値と前記受信された第２の位置ＩＤ値の間で選択を行うことを備える、請求項７に記載の方法。
【請求項９】
前記受信された第１の位置ＩＤ値と前記受信された第２の位置ＩＤ値の間で選択を行うことは、前記受信された第１の位置ＩＤ値と前記受信された第２の位置ＩＤ値のどちらがより大きい信号強度と関連付けられるかを決定することを備える、請求項８に記載の方法。
【請求項１０】
前記受信された第１の位置ＩＤ値と前記受信された第２の位置ＩＤ値のどちらがより大きい信号強度と関連付けられるかを決定することは、前記受信された第１の位置ＩＤ値と前記受信された第２の位置ＩＤ値のそれぞれに対応する各々受信された信号強度インジケータ（ＲＳＳＩ）値を決定することを備える、請求項９に記載の方法。
【請求項１１】
資産追跡を実行するために動作可能なデバイスであって、
メモリと、
１つまたは複数の位置決めデバイスのそれぞれから、対応する位置識別（ＩＤ）値を受信することと、
各受信された位置ＩＤ値と関連付けられる階層値を決定することと、
各受信された位置ＩＤ値と各決定された階層値に基づいて資産位置情報を決定することと、
前記決定された資産位置情報を受信機に送信することと、
を行うように構成された１つまたは複数のプロセッサと、
を備える、デバイス。
【請求項１２】
各受信された位置ＩＤ値と関連付けられる前記階層値を決定するために、前記１つまたは複数のプロセッサは、
受信された第１の位置ＩＤ値が第１の階層と関連付けられると決定することと、
受信された第２の位置ＩＤ値が第２の階層と関連付けられると決定することと、
を行うように構成される、請求項１１に記載のデバイス。
【請求項１３】
前記資産位置情報を決定するために、前記１つまたは複数のプロセッサは、前記第１の階層と関連付けられる前記第１の位置ＩＤ値のみにしたがって、前記資産位置情報を決定するように構成される、請求項１２に記載のデバイス。
【請求項１４】
前記第１の階層と関連付けられる前記第１の位置ＩＤ値のみにしたがって、前記資産位置情報を決定するために、前記１つまたは複数のプロセッサは、前記第１の階層が精細粒度の位置情報と関連付けられ、前記第２の階層が粗い粒度の位置情報と関連付けられると決定するように構成される、請求項１３に記載のデバイス。
【請求項１５】
前記資産位置情報を決定するために、前記１つまたは複数のプロセッサは、前記第１の階層と関連付けられる前記第１の位置ＩＤ値と前記第２の階層と関連付けられる前記第２の位置ＩＤ値の両方にしたがって、前記資産位置情報を決定するように構成される、請求項１２に記載のデバイス。
【請求項１６】
前記第１の階層と関連付けられる前記第１の位置ＩＤ値と前記第２の階層と関連付けられる前記第２の位置ＩＤ値の両方にしたがって、前記資産位置情報を決定するために、前記１つまたは複数のプロセッサは、前記資産位置情報内に、前記第１の位置ＩＤ値と前記第２の位置ＩＤ値の両方を含むように構成される、請求項１５に記載のデバイス。
【請求項１７】
各受信された位置ＩＤ値と関連付けられる前記階層値を決定するために、前記１つまたは複数のプロセッサは、
受信された第１の位置ＩＤ値が第１の階層と関連付けられると決定することと、
受信された第２の位置ＩＤ値が前記第１の階層と関連付けられると決定することと、
を行うように構成される、請求項１１に記載のデバイス。
【請求項１８】
各受信された位置ＩＤ値と各決定された階層値に基づいて前記資産位置情報を決定するために、前記１つまたは複数のプロセッサは、前記受信された第１の位置ＩＤ値と前記受信された第２の位置ＩＤ値の間で選択を行うように構成される、請求項１７に記載のデバイス。
【請求項１９】
前記受信された第１の位置ＩＤ値と前記受信された第２の位置ＩＤ値の間で選択を行うために、前記１つまたは複数のプロセッサは、前記受信された第１の位置ＩＤ値と前記受信された第２の位置ＩＤ値のどちらがより大きい信号強度と関連付けられるかを決定するように構成される、請求項１８に記載のデバイス。
【請求項２０】
前記受信された第１の位置ＩＤ値と前記受信された第２の位置ＩＤ値のどちらがより大きい信号強度と関連付けられるかを決定するために、前記１つまたは複数のプロセッサは、前記受信された第１の位置ＩＤ値と前記受信された第２の位置ＩＤ値のそれぞれに対応する各々受信された信号強度インジケータ（ＲＳＳＩ）値を決定するように構成される、請求項１９に記載のデバイス。
【請求項２１】
実行されたときに、デバイスの１つまたは複数のプロセッサに、
１つまたは複数の位置決めデバイスのそれぞれから、対応する位置識別（ＩＤ）値を受信することと、
各受信された位置ＩＤ値と関連付けられる階層値を決定することと、
各受信された位置ＩＤ値と各決定された階層値に基づいて資産位置情報を決定することと、
前記決定された資産位置情報を受信機に送信することと、
を行わせる命令を用いて符号化された、コンピュータ可読記憶媒体。
【請求項２２】
１つまたは複数のランドマークタグと、それぞれが、対応する位置識別（ＩＤ）値を送信するように構成され、
前記１つまたは複数のランドマークタグから前記対応する位置ＩＤ値を受信することと、
各受信された位置ＩＤ値と関連付けられる階層値を決定することと、
各受信された位置ＩＤ値と各決定された階層値に基づいて資産位置情報を決定することと、
前記決定された資産位置情報を送信することと、
を行うように構成された資産タグと、
前記資産タグによって送信された前記資産位置情報を受信することと、
前記受信された資産位置情報を中継することと、
を行うように構成された受信機と、
前記受信機によって中継された前記資産位置情報を受信することと、
前記受信された資産位置情報に基づいて一意の資産識別子を決定することと、
前記決定された一意の資産識別子と前記受信機を関連付けることと、
を行うように構成されたサーバと、
を備える、資産追跡システム。
【発明の詳細な説明】
【優先権の主張】
【０００１】
[0001]本願は、２０１３年１１月１１日付で出願された米国仮出願第６１／９０２，７４３の利益を主張するものであり、その全体の内容が参照により組み込まれる。
【技術分野】
【０００２】
[0002]本開示は資産管理（asset management）に関する。
【背景技術】
【０００３】
[0003]企業、政府機関、および大学のような大きな組織が物理的資産に多額の金を投じることはよくあることである。こういった物理的資産の一般的な例は、コンピュータ機器、オーディオ／ビデオ機器、ＩＴインフラ機器、家具、および他のタイプのオフィス機器を含み得る。多くの組織はまた、様々なタイプの業界固有の資産を所有または管理し得る。例えば、半導体製造会社は、チップをテストするための試験台（test benches）を所有し、警察隊は、自転車群(a fleet of bicycles)を所有し得る。法律事務所や会計事務所にとって、ある特定の文書または書類が資産として考えられ得る。一般的に言えば、任意の物理的対象が、組織によって資産であると考えられ得、資産を構成するものは組織によって異なり得る。
【０００４】
[0004]組織が大きくなるにつれて、資産が、ビルの複数のフロア、複数のビル、またはさらに複数の敷地を占めことは珍しくないため、それによって、しばしば組織の全ての資産の動向を追う(keeping track of)ことが非常に困難になる。技術が多くの資産をより小型化および携帯可能にするにつれ、こういった資産を管理することは、さらにいっそう困難になっている。それらの資産の全ての動向を追うために、多くの組織は、特定のロケーション、特定の個人、または特定のグループと関連付けられるべき資産を必要とする資産管理プログラムを実装している。しかし、資産は、システムが更新されることなく新しいロケーションに移動される、または新しい個人に譲渡されるため、こういったシステムは概して、望ましくなく大きな割合の資産の動向を追えなくなることがある。多くの組織はまた、それらの資産の全ての動向をさらに追うために資産管理機器を利用する。こういった機器は、ある特定の資産のロケーションを決定するために、概してバーコードまたは無線周波数識別（ＲＦＩＤ）技術を利用する。
【発明の概要】
【０００５】
[0005]１つの例において、方法は、１つまたは複数の位置決めデバイス（positioning devices）のそれぞれから対応する位置識別（ＩＤ）値を受信することと、各受信された位置ＩＤ値と関連付けられる階層値（a tier value）を決定することと、各受信された位置ＩＤ値と各決定された階層値に基づいて資産位置情報を決定することと、決定された資産位置情報を受信機に送信することとを含む。
【０００６】
[0006]別の例において、デバイスは、メモリと１つまたは複数のプロセッサを含む。１つまたは複数のプロセッサは、１つまたは複数の位置決めデバイスのそれぞれから、対応する位置識別（ＩＤ）値を受信することと、各受信された位置ＩＤ値と関連付けられる階層値を決定することと、各受信された位置ＩＤ値と各決定された階層値に基づいて資産位置情報を決定することと、決定された資産位置情報を受信機に送信することとを行うように構成される。
【０００７】
[0007]別の例において、コンピュータ可読記憶媒体は、命令を用いて符号化される。命令は、実行されると、デバイスの１つまたは複数のプロセッサに、１つまたは複数の位置決めデバイスのそれぞれから、対応する位置識別（ＩＤ）値を受信させ、各受信された位置ＩＤ値と関連付けられる階層値を決定させ、各受信された位置ＩＤ値と各決定された階層値に基づいて資産位置情報を決定させ、決定された資産位置情報を受信機に送信させる。
【０００８】
[0008]別の例において、資産追跡システム（an asset tracking system）は、１つまたは複数のランドマークタグと、それぞれは、対応する位置識別（ＩＤ）値を送信するように構成され、１つまたは複数のランドマークタグから対応する位置ＩＤ値を受信することと、各受信された位置ＩＤ値と関連付けられる階層値を決定することと、各受信された位置ＩＤ値と各決定された階層値に基づいて資産位置情報を決定することと、決定された資産位置情報を送信することと、を行うように構成された資産タグとを含む。本システムは、資産タグによって送信された資産位置情報を受信することと、受信された資産位置情報を中継することとを行うように構成された受信機と、受信機によって中継された資産位置情報を受信することと、受信された資産位置情報に基づいて一意の資産識別子を決定することと、決定された一意の資産識別子と受信機を関連付けることと、を行うように構成されたサーバをさらに含む。
【０００９】
[0009]１つまたは複数の例の詳細は、添付の図面と下記の詳細な説明において説明される。他の特徴、目的、および利点は、詳細な説明、図面および特許請求の範囲から明らかになるだろう。
【図面の簡単な説明】
【００１０】
【図１Ａ】[0010]図１Ａは、本開示の技術にしたがって使用され得る資産追跡システムの例を示す。
【図１Ｂ】[0011]図１Ｂは、本開示の技術にしたがった受信機の例を示す。
【図２】[0012]図２は、本開示の技術にしたがって使用され得る資産追跡システムの例を示す。
【図３】[0013]図３は、本開示の技術にしたがってランドマークタグ(landmark tags)を利用する資産追跡システムの例を示す。
【図４Ａ】[0014]図４Ａは、本開示の技術にしたがった資産タグの動作を示す。
【図４Ｂ】[0015]図４Ｂは、本開示の技術にしたがったランドマークタグの動作を示す。
【図５】[0016]図５は、図３に示された資産追跡システムへの多層的アプローチを表す資産追跡システムを示す。
【図６】[0017]図６は、１つまたは複数のデバイスが本開示の様々な技術を実行し得ることによるプロセスの例を示す。
【図７】
【詳細な説明】
【００１１】
[0018]効率的かつ実用的な屋内資産追跡システムを持つことがますます重要になってきている。大規模で実用的な屋内資産追跡システムに関する(toward)多くの困難およびハードルの中で、（例えば、通常、コインセルバッテリ（coin-cell batteries）を用いて２−３年よりも長くもつことを要求される）資産タグの安価なコストとより長い耐用期間を考慮すると、システムの精細粒度（fine-granularity）とロケーション精度は重要な論点である。ハードウェアコストおよび精巧な技術を増大させることなく、デスク（ベンチ）レベル（サブ２メートル）まで精細粒度を可能にするのは極めて困難である。本開示の技術は一般的に、これらの潜在的な問題に対処し、単純かつ安価で、さらに精細粒度の資産追跡システムを提案することに向けられる。
【００１２】
[0019]精細粒度のレゾリューション(fine-granular resolutions)／正確さを実現することはかなりの重要性をもち、および屋内位置決めシステムに対する新しいビジネス／サービスの機会を提供し得る。いくつかの既存の屋内位置決めシステムは、より大きいハードウェアと導入コストを要する実用的でないソリューション(solution)を実装している。本開示は、参照ポイントとして使用されることが可能な個別の単純で安価なランドマークタグを導入することによって新しい資産追跡システムを提案する。さらに、本開示は、階層的アプローチ（tiered approaches）を提案しているため、より精細粒度の位置決めが実現可能である。
【００１３】
[0020]現在の資産位置検出システムにおいて、資産に付けられる資産タグは概ね、メッセージを受信機に送信し、どの受信機がメッセージをピックアップするかに基づいて、システムは、資産タグのための適切なロケーションを決定する。より精巧なシステムは、資産のためのより正確なロケーションを決定することを試みるために、複数の受信機の三角測量(triangulation)および／または信号強度の測定を用い得る。しかし、これらの受信機ベースのシステムによってどんな種類の精細粒度を実現することも、必要とされる受信機デバイスの数の理由で、しばしば法外なコストがかかる。受信機デバイスは、資産ロケーション検出システムにおける他のシステム構成要素のコストに比べてかなり経費がかかる傾向にある。
【００１４】
[0021]本開示は、精細粒度でロケーションを決定するための新しいシステム構成要素を導入する。この新しい構成要素は、本開示において、ランドマークタグまたは、さらに総称的には位置決めデバイスと称され得る。ロケーションが、資産タグによって送信された信号に基づいて決定される既存のシステムとは対照的に、本開示の技術にしたがって、ロケーションは、資産タグによって受信された信号に基づいて決定されることが可能である。資産タグは、１つまたは複数のランドマークタグから位置信号を受信することが可能である。ランドマークタグによって送信され、かつ資産タグによって受信された位置信号は、ランドマークタグを一意的に識別する一意の位置識別（ＩＤ）値を含み得る。資産タグは次に、資産タグの位置を決定するための資産位置情報を受信機に送信することが可能である。こういった資産位置情報は、例えば、信号が検出される全てのランドマークタグの位置ＩＤ値、最も高い信号強度を持つランドマークタグの位置ＩＤ値のみ、２つの最も高い信号強度を持つランドマークタグの位置ＩＤ値、および／または、受信された位置ＩＤ値に基づくその他のいくつかのこういった資産位置情報を含む。資産タグから送信された資産位置情報に基づいて、ランドマークタグの位置を知る中央サーバは、資産タグのロケーションを計算し得る。ランドマークタグは、受信機と比べて安価であるだろうと考えられるので、比較的多数のランドマークタグが精細粒度を実現するために使用され得る。
【００１５】
[0022]図１Ａは、資産タグ１０１Ａ−１０１Ｃ、受信機１０３、サーバ１０５、およびデータベース１０７を含む資産追跡システム１００の例を示す。資産タグ１０１Ａから１０１Ｃは、様々な資産に添付される（be attached）ように構成され、資産タグ１０１Ａから１０１Ａまでのそれぞれは、一意の資産タグＩＤと関連付けられ得る。資産タグ１０１Ａおよび１０１Ｃのそれぞれは、受信機１０３のような様々な受信機によって検出されることが可能な信号を送信するように構成され得る。受信機１０３は次に、受信機１０３によって検出された一意の複数の資産タグＩＤを含む情報を、サーバ１０５に送信（例えば、中継）することが可能である。一意の資産タグＩＤと受信機１０３の関連付けは次に、データベース１０７に記憶され得る。タグ１０１および受信機１０３は、ワイヤレス通信を実行するように構成され得る。
【００１６】
[0023]資産タグ１０１Ａ−１０１Ｃは、様々な資産に添付されるように構成され、資産タグ１０１Ａ−１０１Ｃのそれぞれは、一意の資産タグＩＤと関連付けられ得る。資産タグ１０１Ａ−１０１Ｃのそれぞれは、受信機１０３のような様々な受信機によって検出されることが可能な信号を送信するように構成され得る。さらに、資産タグ１０１Ａ−１０１Ｃのそれぞれは、受信されたデータを処理することによって資産位置情報を決定し得る。図１は、例えば、通信チャネル１０８を介して受信機１０３に情報を送信する資産タグ１０１Ａを示す。資産タグ１０１Ｂおよび１０１Ｃは、資産タグ１０１Ａと同様の方法で、受信機１０３と通信し得る。受信機１０３は次に、受信機１０３によって検出された一意の資産タグＩＤを含む情報を、１つまたは複数の通信チャネルを介して、サーバ１０５に送信（例えば、中継）することが可能である。下記でより詳細に説明されるように、一意の資産タグＩＤに加えて、受信機１０３は、サーバ１０５に、階層情報のような資産タグＩＤに関する追加の情報を送信または中継し得る。一意の資産タグＩＤと受信機１０３の関連付けは次に、データベース１０５によってデータベース１０７に記憶され得る。特定の資産タグＩＤと関連付けられた使用情報（usage information）もまた、データベース１０７に記憶され得る。
【００１７】
[0024]資産タグ１０１Ａ−１０１Ｃは、受信機１０３との１方向通信または２方向通信のいずれかに従事し得る。１方向通信のみのために構成された資産タグは、受信機１０３に情報を送り得るが、受信機１０３からの情報を受信しない。資産タグを１方向通信に限定することが、ハードウェア要件を単純化し、最大限資産タグをより小型化しかつ製造にかかるコストを縮小し得る。資産タグを１方向通信に限定することはさらに、バッテリ消費を低減させ得る。いくつかの実装において、資産タグ１０１Ａ−１０１Ｃは、２方向通信に従事し得、そのため資産タグ１０１Ａ−１０１Ｃのそれぞれは、受信機１０３へ情報を送る、および受信機１０３から情報を受信する、の両方を行い得る。２方向通信のために構成された資産タグを用いるシステムにおいて、サーバ１０５は、資産タグによって検出された資産使用の実時間の問い合わせを開始し得る。
【００１８】
[0025]データベース１０７はまた、受信機１０３に関するロケーションを記憶し得る。したがって、受信機１０３のロケーションに基づいて、サーバ１０５は、資産追跡システム１００のユーザに、資産タグに関するロケーションの推定を提供することが可能である。例えば、受信機１０３が、資産タグ１０１Ａによって送信された信号を検出した場合、資産タグ１０１Ａは、部屋、ビル、または、例えば、受信機１０３の近くまたは受信範囲と関連付けられる他のロケーションにあると決定されることが可能である。簡単のために図１Ａに示めされていないが、資産追跡システム１００は、資産が監視されるべき領域にわたって散在する複数の受信機を含み得る。前に提起したとおり、資産タグ１０１Ａ−１０１Ｃに関するロケーションを記憶することに加えて、データベース１０７はまた、各資産タグと関連付けられた使用情報を記憶し得る。
【００１９】
[0026]サーバ１０５とデータベース１０７は一般的に、任意のコンピューティングシステムおよびデータ記憶システムを表すことを意図しており、多くの異なる形を取り得る。サーバ１０５とデータベース１０７は集合的に、例えば、アプリケーションサーバ、カタログサーバ、データベースサーバ、ファイルサーバ、ホームサーバ、モバイルサーバ、プロキシサーバ、スタンドアローンサーバ、ウェブサーバ、パーソナルコンピュータ、スマートフォンまたはタブレットのようなモバイルデバイス、またはネットワークデバイスの他のタイプを備え得る。いくつかの例において、サーバ１０５とデータベース１０７に関してここで説明された機能のいくつかまたは全ては、受信機１０３によって実行され得る。
【００２０】
[0027]通信チャネル１０８は一般的に、資産タグ１０１Ａと受信機１０３の間でデータを送信するための任意の適切な通信媒体、あるいは異なる通信メディアの集合を表し得る。通信チャネル１０８は通常、比較的短距離の通信チャネルであり、規定の２．４、ＧＨｚ、３．６ＧＨｚ、５ＧＨｚ、６０ＧＨｚ、または超高帯域（ＵＷＢ）周波数帯構造を実装するような、Ｗｉ−Ｆｉ、Ｂｌｕｅｔｏｏｔｈ（登録商標）、３Ｇ、４Ｇ、セルラなどと同様の物理チャネル構造を実装し得る。しかし、通信チャネル１０８は、必ずしもこの態様に限定されるものではなく、無線周波数（ＲＦ）スペクトルまたは１つまたは複数の物理送信線、１つまたは複数の専有の通信プロトコル、あるいはワイヤレスおよび有線の送信メディアの任意の組み合わせのような任意のワイヤレスまたは有線通信媒体を備え得る。
【００２１】
[0028]通信チャネル１０９は一般的に、受信機１０３とサーバ１０５の間でデータを送信するための任意の適切な通信媒体、あるいは異なる通信メディアの集合を表し得る。通信チャネル１０９は、短距離または長距離通信チャネルの任意のタイプであり得、無線周波数（ＲＦ）スペクトルまたは１つまたは複数の物理送信線、またはワイヤレスおよび有線メディアの任意の組み合わせのような任意のワイヤレスまたは有線通信媒体を備え得る。他の例において、通信チャネル１０９は、有線またはワイヤレスローカルエリアネットワーク、広域ネットワークまたはインターネットのようなグローバルネットワークといったパケットベースのネットワークの一部を形成し得る。さらに、通信チャネル１０９は、ピア・ツー・ピアリンクを生成するために受信機１０３とサーバ１０５によって使用され得る。
【００２２】
[0029]図１Ｂは、本開示の技術にしたがった受信機１０３の例を示す。受信機１０３は、１つまたは複数のプロセッサ（プロセッサ１２０）、１つまたは複数のメモリ（メモリ１２２）、送信および受信（ＴＸ／ＲＸ）ユニット１２４、および電源１２６を含む。受信機１０３の構成要素は、１つまた複数のマイクロプロセッサ、デジタル信号プロセッサ（ＤＳＰ）、アプリケーション特定集積回路（ＡＳＩＣ）、フィールド・プログラマブル・ゲート・アレイ（ＦＰＧＡ）、ディスクリート論理、ソフトウェア、ハードウェア、ファームウェアまたはそれらの任意の組合せのような様々な好適な回路のいずれかとして実装され得る。
【００２３】
[0030]プロセッサ１２０は、受信機１０３内で機能を実施しおよび／または命令を実行し得る。プロセッサ１２０は、一般的に、受信機１０３の全ての処理能力を表すよう企図されている。いくつかの実装において、受信機１０３の処理能力は実際に、複数の処理要素全体に分散され得ることが検討される。受信機１０３上のプロセッサ１２０は、受信機１０３内のＴＸ／ＲＸユニット１２４および他のユニットの機能を制御するメモリ１２２によって記憶された命令を受信および実行し得る。プロセッサ１２０によって実行されたこれらの命令は、プログラム実行中に、受信機１０３にメモリ１２２内の情報を記憶するか、またはメモリ１２２からの情報を検索させる。
【００２４】
[0031]受信機１０３内のメモリ１２２は、受信機１０３の動作中に処理するための情報を記憶し得る。メモリ１２２は、長期記憶用ではない一時メモリを含み得る。こういった一時メモリは、情報の短期記憶のために揮発性メモリとして構成されるため、電源がオフされた場合、記憶された内容を保持しない。揮発性メモリの例は、ランダムアクセスメモリ（ＲＡＭ）、ダイナミック・ランダム・アクセスメモリ（ＤＲＡＭ）、スタティック・ランダム・アクセスメモリ（ＳＲＡＭ）、および当技術分野で知られる揮発性メモリの他の形式を含む。メモリ１２２はまた、１つまたは複数のコンピュータ可読記憶媒体を含み得る。こういったコンピュータ可読記憶媒体は、揮発性メモリより大量の情報を記憶するように構成され得、不揮発性メモリ空間として情報の長期記憶のためにさらに構成され得、電源のオン／オフサイクル後、情報を保持し得る。不揮発性メモリの例は、磁気ハードディスク、光学ディスク、フロッピー（登録商標）ディスク、フラッシュメモリ、または電気的にプログラム可能なメモリ（ＥＰＲＯＭ）または電気的に消去可能およびプログラム可能な（ＥＥＰＲＯＭ（登録商標））メモリの形式を含む。メモリ１２２はまた、プロセッサ１２０による実行用のプログラム命令および／または資産タグ１０１Ａ−１０１Ｃのいずれかから受信され、関連付けられるデータを記憶し得る。受信機１０３内のメモリ１２２は一般的に、例えば、キャッシュ、ＲＡＭ、および記憶メディアを含む受信機１０３に含まれ得る全てのメモリを表すよう意図されている。
【００２５】
[0032]ＴＸ／ＲＸユニット１２４は、様々なミキサ、フィルタ、増幅器、モデム、および信号変調のために設計された他の構成要素、ならびに、１つまたは複数のアンテナ、およびデータを送信および受信するために設計された他の構成要素を含み得る。ＴＸ／ＲＸユニット１２４は一般的に、受信機１０３の全ての通信構成要素と機能を表すよう意図されている。受信機１０３は、複数の通信プロトコルを用いてデータを送信および受信するように構成され得る。１つの例として、ＴＸ／ＲＸユニット１２４は、Ｂｌｕｅｔｏｏｔｈを用いて資産タグ１０１Ａ−１０１Ｃのいずれかから情報を受信し、ＷｉＦｉおよび／または有線ＬＡＮ接続を用いて情報をサーバ１０５へ送信（例えば、中継する）し得る。
【００２６】
[0033]電源１２６は一般的に、受信機１０３に電力供給するために使用され得る任意の電力源または複数の電力源の組み合わせを表す。受信機１０３は、資産タグ１０１Ａ−１０１Ｃより大きいこともあり得るが、一般的には、例えば、煙検出器のサイズのようにさらに小さいと考えられる。したがって、電源１２６もまた、受信機１０３用には比較的小さいと考えられる。例えば、受信機１０３のいくつかの実装は、１つまたは複数のＡＡ、ＡＡ、Ｃ、Ｄ、または９Ｖバッテリを用いて動作し得ると考えられる。いくつかの実装において、受信機１０３は、ウォールパワー（wall power）およびバッテリパワーのような複数の電力源を含み得る。
【００２７】
[0034]図２は、資産追跡システム２００の例を示す。資産追跡システムは、タグ１０１Ａ−１０１Ｉと受信機１０３Ａ−１０３Ｄを含む。資産タグ１０１は、メッセージを送信する。メッセージは、複数の識別（ＩＤ）を含み得る。いくつかの例において、ＩＤは一意的に資産タグを識別し得る。資産追跡システム２００は一般的に、図１Ａの資産追跡システム１００と同じ方法で動作するが、図２は、より多くのタグと受信機を示しており、それらは空間または領域内の異なるロケーションに分散され得る。図２における複数の矢印は一般的に、資産タグ１０１Ａ−１０１Ｉによって送信されるメッセージに対応し、受信機１０３Ａ−１０３Ｄによって検出される。図２の例に見られ得るように、いくつかの資産タグ（例えば、資産タグ１０１Ｅ）のメッセージが４つもの受信機によって検出される一方で、いくつかの資産タグ（例えば、資産タグ１０１Ａ）のメッセージは、１つの受信機のみによって検出される。図２には示されていないが、受信機１０３Ａ−１０３Ｄは、例えば、それに関して受信機がメッセージを検出した資産タグのＩＤを識別する情報を図１Ａのサーバ１０５のような中央サーバに送信し得る。したがって、どの受信機が資産タグのメッセージを検出したかに基づいて、中央受信機は、資産タグのロケーションのおおよその推定を決定することが可能である。
【００２８】
[0035]図３は、複数のランドマーク（ＬＭ）タグを含む本開示の技術にしたがったシステムの例を示す。図３の資産追跡システム３００は、資産タグ３０１Ａ−３０１Ｃ、受信機３０３、サーバ３０５、データベース３０７、およびＬＭタグ３０９Ａ−３０９Ｄ（集合的に「ＬＭタグ３０９」）を含む。ＬＭタグ３０９のロケーションは、システム３００によって知られ、データベース３０７に記憶される。ＬＭタグ３０９は、位置識別（ＩＤ）値を含むメッセージを送信し、データベース３０７は、位置ＩＤ値を物理的ロケーションと関連付ける。位置識別値は、実際の位置情報を含み得る（例えば、資産タグ３０１Ａ−３０１Ｃは、位置ＩＤ値を含むメッセージをＬＭタグ３０９から受信するように構成され得る）。ＬＭタグ３０９は、本開示の１つまたは複数の態様にしたがった位置決めデバイスの例である。資産タグ３０１Ａ−３０１Ｃは、受信された位置ＩＤ値、ならびにそれらのそれぞれの資産タグＩＤを受信機３０３に送信し得る。受信機３０３は次に、受信された資産タグＩＤの１つまたは複数と任意の関連付けられた位置ＩＤ値をサーバ３０５に送信し得る（例えば、中継し得る）。資産タグによって受信された位置ＩＤ値に基づいて、かつ場合によっては、資産タグメッセージを受信する受信機にも基づいて、特定の資産タグに関する位置が、（例えば、サーバ３０５によって）決定され、データベース３０７に記憶され得る。ＬＭタグ３０９は、受信機３０３と比較して小型で安価であると考えられるので、比較的多くのＬＭタグが使用され得、そのため、現在の資産追跡システムと比べて、より精細な粒度によってロケーションが決定されることを可能にする。上で論じたとおり、ＬＭタグ３０９は、本開示の１つまたは複数の態様にしたがった位置決めデバイスの例である。
【００２９】
[0036]資産タグ３０１とＬＭタグ３０９は、様々なハードウェアソリューションを実装し得る。例えば、資産タグ３０１のそれぞれおよび／またはＬＭタグ３０９のそれぞれは、１つまたは複数のプロセッサ（例えば、プログラマブルプロセッサ）および１つまたは複数のメモリユニットを含み得る。さらに、資産タグ３０１のそれぞれおよびＬＭタグ３０９のそれぞれは、縮小したリソース要件のおかげで受信機３０３よりもより低コストであり得る。ＬＭタグ３０９がデータを送信し得るだけであるのに対し、資産タグ３０１はデータを送信するだけでなく受信もし得るため、ＬＭタグ３０９のそれぞれは、資産タグ３０１のそれぞれよりも低コストであり得る。さらに、資産タグ３０１は、（例えば、受信されたデータから階層情報を決定するために）、様々なレベルのデータの処理を実行するように構成され得る。様々な例において、資産タグ３０１とＬＭタグ３０９の１つまたは複数は、データ（例えば、資産タグＩＤおよび／または位置ＩＤ値）を送信および受信するための技術に基づいて、無線周波数（ＲＦ）を実装し得る。例えば、資産タグ３０１とＬＭタグ３０９の１つまたは複数は、データを送信および受信するための１つまたは複数の短距離ＲＦ技術を実装し得る。短距離ＲＦハードウェアのような短距離通信技術を実装することによって、資産タグ３０１および／またはＬＭタグ３０９は、１つまたは複数の潜在的な利点を提供し得る。１つの例として、資産タグ３０１とＬＭタグ３０９は、短距離ＲＦハードウェアを実装することによって、資産追跡システム３００を配置する際に負担するコストを縮小し得る。短距離ＲＦハードウェアは、他の追跡システム（例えば、長距離通信システムを実装するシステム）に対して低コストの代替品になる傾向にあるため、資産追跡システム３００は、（例えば、資産タグ３０１によって識別されるべき）より多くの資産および／または（例えば、ＬＭタグ３０９によって識別されるような）位置ＩＤ値に対して、より優れた正確さを供給し得る。短距離ＲＦハードウェアを実装することによってもたらされる別の潜在的な利点は、資産タグ３０１および／またはＬＭタグ３０９が、相互により少ない干渉（例えば、有害な信号干渉）を生じさせ得ることである。
【００３０】
[0037]資産追跡システム３００の様々な実装において、資産タグ３０１および／またはＬＭタグ３０９の１つまたは複数は、Ｂｌｕｅｔｏｏｔｈ技術を実装する短距離デバイスを組み込み得る。例えば、資産タグ３０１および／またはＬＭタグ３０９の１つまたは複数は、Ｂｌｕｅｔｏｏｔｈ低エネルギー（「ＢＬＥ」）またはＢｌｕｅｔｏｏｔｈ４．０技術を含み得る。資産タグ３０１の１つまたは複数がＢＬＥ技術を組み込む例において、こういった資産タグ３０１のそれぞれは、小さなコインセルバッテリによって電力供給され得る。さらに、（小さなコインセルバッテリによって電力供給される）こういったＢＬＥデバイスは、他のタイプの通信デバイスと比べた場合、サイズが小さく、比較的安価であり得る。さらに、バッテリによって電力供給されることに基づいて、資産タグ３０１は、携帯可能であり得るため、識別される対応する資産と共に物理的に移動され得る。この方法において、本開示の技術は、リソース（例えば、エネルギー）消費、空間消費、および携帯性の点で効果的な資産タグ３０１にハードウェア構成を提供し得る。
【００３１】
[0038]さらに、ＬＭタグ３０９の１つまたは複数が、ＢＬＥ技術を組み込む例において、ＬＭタグは、バッテリまたは差し込み式のアウトレット（例えば、交流電流すなわちＡＣを供給する壁付アウトレット）のいずれかによって電力供給され得る。例えば、ＬＭタグ３０９の１つまたは複数は、固定ロケーション（例えば、倉庫内の特定の柱の番号）を示し得るため、ＬＭタグ３０９は、資産タグ３０１と同じ携帯性を必要とし得ない。さらに、ＬＭタグ３０９のそれぞれの間の関連付けとそれの対応するロケーション情報は、サーバ３０５および／またはデータベース３０７に供給されかつ記憶され得る。その結果、ＬＭタグ３０９について、携帯性は重要ではないことがある（および実際所望されていない可能性もある）。次に、低下した携帯性の要件が下がったため、ＬＭタグ３０９は、壁付アウトレットまたは壁付ソケットパワーを随意に利用し得、それによってバッテリ交換の必要を軽減または場合によっては排除する。いくつかの例において、ＬＭタグ３０９は、アウトレット／ソケットパワー障害のいずれかの場合、「バックアップ」電力源としてバッテリを装備し得る。
【００３２】
[0039]ここで説明された技術の様々な実装にしたがって、受信機３０３は、ＢＬＥ技術を組み込み得る。例えば、受信機３０３は、ＢＬＥ技術を実装する短距離通信デバイスを含むか、またはその一部であり得る。様々な例において、受信機３０３は、監視すること（または「リッスンすること（listening）」）によって、複数の資産タグ３０１の１つまたは複数によって送られた資産メッセージに対するいわゆる「オブザーバ」または中心的役割を実行し得る。次に、受信機３０３は、資産タグ３０１から受信された任意の資産メッセージをサーバ３０５に送信または中継し得る。いくつかの例において、受信機３０３は、ＢＬＥベースまたは他のＢｌｕｅｔｏｏｔｈベースの能力のような短距離通信を用いて、データをサーバ３０５に送信し得る。
【００３３】
[0040]他の例において、受信機３０３は、インターネットプロトコル（ＩＰ）、ＷｉＦｉ、イーサネット（登録商標）、３Ｇ、４Ｇ、等によって提供されるような他の（例えば、長距離）通信機構を使用して、サーバ３０５にデータを送信し得る。受信機３０３が、長距離通信を使用してサーバ３０５にデータを送信または中継するように構成された例において、受信機３０３は、（サーバ３０５にデータを送信または中継するための）長距離通信技術だけでなく（資産メッセージをリッスンおよび受信するための）ＢＬＥ技術の両方を装備し得る。例えば、受信機３０３は、ＢＬＥベースのモジュールだけでなくＩＰネットワーク機能のあるモジュールを装備し得る。こういった例において、受信機３０３は、ＢＬＥおよびＩＰネットワーク機能のある両方のモジュールを含むため、資産タグ３０１とＬＭタグ３０９のいずれかよりもコストがかかり得る。追加のコストを軽減するために、本開示の技術は、複数の資産タグにつき１個の受信機を配置するために提供される。例えば、図３に示された実装において、１個の受信機３０３は、複数の資産タグ３０１に関する資産メッセージをリッスンおよび中継する。
【００３４】
[0041]サーバ３０５とデータベース３０７の１つまたは両方が、資産タグ３０１によって識別された資産を追跡するためのデータを保持し得る。さらに、サーバ３０５および／またはデータベース３０７は、複数のＬＭタグ３０９のそれぞれおよび関連付けられたロケーションの間の関連付けを規定（provision）、確立、および追跡し得る。例えば、データベース３０７は、資産タグ３０１に関する資産−資産ＩＤの関連付けとＬＭタグ３０９に関するＬＭタグ−位置ＩＤの関連付けを記憶し得る。この例において、サーバ３０５は、データベース３０７から該当するデータを読み込むことによって、様々な関連付けにアクセスし得る。さらに、関連付けのいずれかが更新される場合、サーバ３０５は、資産タグ３０１とＬＭタグ３０９に関して最新の関連付け情報を保持するために、データベース３０７にその更新を書き込み得る。本開示のいくつかの例にしたがって、サーバ３０５は、受信機３０３によって中継された資産メッセージに含まれる位置ＩＤ値と階層情報に基づいて、資産タグ３０１に対応する資産位置を決定するために１つまたは複数の近接アルゴリズムを適用し得る。
【００３５】
[0042]ここで説明された技術の様々な実装において、ＬＭタグ３０９は、資産タグ３０１に、（例えば、「ランドマークメッセージ」の形式で）、位置ＩＤ情報を定期的に送り得る。複数の例において、複数の位置ＩＤ値の連続する送信の間の時間期間が予め設定され得、ここで、ＬＭタグ３０９のうちの特定の１つまたは複数と関連付けられる「スリープタイム」と称され得る。同様に、資産タグ３０１は、受信機３０３に複数の資産メッセージを送信する間に、スリープタイムを実装し得る。いくつかの例において、資産タグ３０１の１つまたは複数は、例えば、ＬＭタグ３０９の１つから資産メッセージを受信することのみに応答して、受信機３０３に資産メッセージを送信することによって、アドホック、または受け身的なスリープタイム（reactive sleep time）を実装し得る。
【００３６】
[0043]様々な事例において、資産タグ３０１は、ＬＭタグ３０９よりも長いスリープタイムを実装し得る。言い換えると、これらの例にしたがって、ＬＭタグ３０９は、資産タグ３０１が資産メッセージを送信するより頻繁にランドマークメッセージを送信し得る。１つの例として、ＬＭタグ３０９が完全にバッテリパワーに依存していない場合、ＬＭタグ３０９は、より頻繁にメッセージを送信するために、資産タグ３０１よりも良く（better）装備されることがある。
【００３７】
[0044]図４Ａは、本開示の技術にしたがった資産タグの動作を示す。図３に示された複数の資産タグ３０１の１つまたは複数のような資産タグは、３つの動作モード：受信すること（ＲＸ）、送信すること（ＴＸ）、およびスリープを有する。受信しているとき、資産タグは例えば、ランドマークタグによって送信された複数の信号を検出している。送信しているとき、資産タグは、例えば、ランドマークタグから受信された位置ＩＤ値だけでなく、資産タグＩＤ値のような他の情報を受信機に送信している。
【００３８】
[0045]図４Ｂは、本開示の技術にしたがったランドマークタグの動作を示す。ランドマークタグは、２つの動作モード：送信すること（ＴＸ）とスリープを有する。したがって、いくつかの例において、ランドマークタグは、送信のみを行い得、受信は行なわない。他の例において、ランドマークタグは、送信および受信を行い得る。バッテリパワーを節約するために、ランドマークタグは、送信モードよりもスリープモードにおいてより多くの時間を費やし得る。スリープモードと送信モードの長さは、資産タグの送信、受信、およびスリープモードの長さと連係して選択され得、その結果、資産タグは、資産タグが受信モードにある間に少なくとも一度送信を行うことになる。
【００３９】
[0046]図５は、資産追跡システム５００を示し、それは、図３に示された資産追跡システム３００への多層的なアプローチを表す。様々な実装において、本開示の技術は、ここで説明された資産追跡技術に様々なレベルの精度または粒度を提供するために実装され得る。例えば、資産追跡システム５００において、ＬＭタグ３０９は、２つの階層、すなわち階層１と階層２（あるいは、「第１の階層」と「第２の階層」）に区分され得る。図５の例において、ＬＭタグ３０９Ｂと３０９Ｃが階層１ＬＭタグを表し得る一方で、ＬＭタグ３０９Ａと３０９Ｄは、階層２ＬＭタグを表し得る。ＬＭタグ３０９Ｂと３０９Ｃ（「階層１ＬＭタグ３０９」）は、ＬＭタグ３０９Ａと３０９Ｄ（「階層２ＬＭタグ３０９」）より低い信号強度を使用して位置ＩＤ値を送信し得る。
【００４０】
[0047]したがって、階層１ＬＭタグ３０９が、精細粒度の（または「きめの細かい」）位置情報を提供し得る一方で、階層１ＬＭタグ３０９は、粗い粒度の（または「きめの粗い」）位置情報を提供し得る。例えば、階層１ＬＭタグ３０９は、より正確な位置（例えば、棚の番号）を示し得る一方で、階層２のタグ３０９は、より一般的な位置（例えば、倉庫内の柱の番号）を示し得る。図５の例において、境界領域５０２は、資産タグ３０１Ｃが階層１ＬＭタグ３０９Ｃの受信範囲内にあることを表す。同様に、境界領域５０４は、資産タグ３０１Ｂが階層１ＬＭタグ３０９Ｂの受信範囲内にあることを表す。
【００４１】
[0048]それとは逆に、図５に示されたように、資産タグ３０１Ａは、境界領域内には存在せず、したがって、階層１の複数のＬＭタグ３０９のいずれの受信範囲内にも存在しない。示されたように、資産タグ３０１Ａは、階層２ＬＭタグ３０９Ａから粗い粒度の位置ＩＤ値情報を受信する。資産タグ３０１Ｂの場合において、資産タグ３０１Ｂは、階層１ＬＭタグ３０９Ｂからの精細粒度の位置ＩＤ値情報だけでなく、階層２ＬＭタグ３０９Ａと３０９Ｄから粗い粒度の位置ＩＤ値情報も受信する。同様に、資産タグ３０１Ｃは、階層１ＬＭタグ３０９Ｃから精細粒度の位置ＩＤ値情報、および階層２ＬＭタグ３０９Ｄから粗い粒度の位置ＩＤ値情報を受信する。一般的に、資産タグ３０１のそれぞれは、ＬＭタグ３０９から受信されたデータ（例えば、ロケーションおよび／または階層情報）を用いて資産位置情報を決定し得る。
【００４２】
[0049]ここで説明された多層的技術の様々な実装において、ＬＭタグ３０９は、それらのそれぞれのロケーションの位置ＩＤ値に加えて、それらのそれぞれの階層レベルを送信し得る。例えば、ＬＭタグ３０９Ａは、「階層１」インジケータと共に、対応する位置ＩＤ値を送信し得、ＬＭタグ３０９Ｂは、「階層２」インジケータと共に、対応する位置ＩＤ値を送信し得る、などである。次に、資産タグ３０１は、ここで説明された様々な技術にしたがって、様々な方法で受信された階層のインジケータを利用し得る。
【００４３】
[0050]１つの実装例において、資産タグ３０１のそれぞれは、それが、階層１のインジケータを有する任意のランドマークメッセージを受信したかどうかを決定し得る。資産タグ３０１が階層１インジケータを受信した場合、その資産タグ３０１は、階層２インジケータを有する任意の受信されたランドマークメッセージを無視し得る。さらに、こういった資産タグ３０１は、それが階層１のインジケータを有する複数のランドマークメッセージを受信したかどうかを決定し得る。資産タグ３０１が、複数の階層１のインジケータを受信した場合、資産タグ３０１は、受信された階層１のランドマークメッセージのうちどれが（受信された信号強度インジケータすなわち「ＲＳＳＩ」によって表される）最も大きい信号強度を有するかを決定し得る。次に、資産タグ３０１は、最も大きいＲＳＳＩを有する階層１のランドマーク信号の位置ＩＤ値を送信されるべき資産メッセージに埋め込み得る。例えば、資産タグ３０１Ｃは、ＬＭタグ３０９Ｃからの階層１のランドマークメッセージとＬＭタグ３０９Ｄからの階層２のランドマークメッセージを受信し得る。この実施例にしたがって、資産タグ３０１Ｃは、ＬＭタグ３０１Ｃから階層１のランドマークメッセージを受信したことに基づいて、ＬＭタグ３０１Ｄから受信された階層２のランドマークメッセージを無視し得る。さらに、単一の階層１のランドマークメッセージのみを受信したことに基づいて、資産タグ３０１Ｃは、受信機３０３に送信されるべき資産メッセージを共に含むための、階層１ＬＭタグ３０９Ｃから受信された位置ＩＤ値を選択し得る。
【００４４】
[0051]別の実装例において、資産タグ３０１が各階層の少なくとも１つランドマークメッセージを受信した場合、資産タグ３０１は、送信された資産メッセージと共に、単一の階層１のランドマークと単一の階層２のランドマークに関する位置ＩＤ値情報を含み得る。この実装にしたがって、資産タグ３０１が同じ階層の複数のランドマークメッセージを受信する場合、こういった資産タグ３０１は、ＲＳＳＩに基づいて、均一に階層化されたランドマークメッセージから選択し得る。図５の例において、資産タグ３０１Ｂは、ＬＭタグ３０９Ｂから階層１のランドマークメッセージを受信し得、ＬＭタグ３０９Ａと３０９Ｄのそれぞれから階層２の個別のランドマークメッセージを受信し得る。この例において、資産タグ３０１Ｂは、（より大きいＲＳＳＩに基づく）ＬＭタグ３０９Ａから受信された階層２のランドマークメッセージと（それが、受信された唯一の階層１のランドマークメッセージであることに基づく）ＬＭタグ３０９Ｂから受信された階層１のランドマークメッセージを選択し得る。次に、資産タグ３０１Ｂは、受信機３０３に送信された全ての資産メッセージを有する階層１ＬＭタグ３０９Ｂと階層２ＬＭタグ３０９Ｂ両方の位置ＩＤ値を含み得る。
【００４５】
[0052]この方法において、本開示の技術は、階層化の方法で実装され得る。図５は、２階層資産追跡システム５００に関して説明されているが、ここで説明された技術は、複数のランドマークタグのうちの３つ以上の階層を有するシステム内に実装され得ることが評価されるだろう。さらに、この技術は例えば、単一の最上位の階層位置、（任意の数の使用可能な階層から選択された）上位２つの階層位置（two top-tiered positions）などといったように、資産タグ３０１に、様々な総数または位置ＩＤ情報の組み合わせを受信機３０３に中継することをさらに可能にし得る。
【００４６】
[0053]図６は、１つまたは複数のデバイスが本開示の様々な技術を実行し得ることによるプロセス６００の例を示す。プロセス６００は、様々なデバイスによって実行され得るが、議論の簡単のためだけに、プロセス６００は、ここで、図３および７に示された資産タグ３０１とＬＭタグ３０９に関して説明される。プロセス６００は、資産タグ３０１がＬＭタグ３０９から位置ＩＤ値を受信したときに開始し得る（６０２）。さらに、資産タグ３０１は、各受信された位置ＩＤ値と関連付けられる階層値を決定し得る（６０４）。例えば、資産タグ３０１は、ＬＭタグ３０９のそれぞれから受信されたランドマークメッセージ内の階層インジケータを受信し得る。１(one)の階層値は、より精細粒度のロケーション情報と関連付けられ得る一方で、２(two)の階層値は、より粗い粒度のロケーション情報と関連付けられ得る。
【００４７】
[0054]資産タグ３０１は、各受信された位置ＩＤ値の１つまたは複数の受信された位置ＩＤ値と階層レベルに基づいて資産位置を決定し得る（６０６）。図５に関して説明されたように、資産タグ３０１は、１つまたは複数の受信された位置ＩＤ値とそれらの対応する階層レベルを用いて、様々な方法で資産位置情報を決定し得る。さらに、資産タグ３０１は、決定された資産位置情報を、例えば受信機３０３に送信し得る（６０８）。
【００４８】
[0055]図７は、図５に関して上で論じられた様々な構成要素の実装例を示す。より具体的には、図７は、資産タグ３０１Ａと３０１Ｂ、階層２ＬＭタグ３０９Ａ、および階層１ＬＭタグ３０９Ｂを示す。図７は同様に境界領域５０４を示し、それは資産タグ３０１Ｂが階層１ＬＭタグ３０９Ｂの受信範囲内にあることを示す。
【００４９】
[0056]図７は縮尺通りに描かれていないが、図７に示された実装例は、いくつかの例において、第２の階層のＬＭタグが第１の階層ＬＭタグよりも大きくなり得ることを示す。例えば、階層２ＬＭタグ３０９Ａの物理的な寸法（またはサイズ）は、（縮尺通りに描かれていないが、）図７の例にあるように階層１ＬＭタグ３０１Ｂの物理的な寸法／サイズより大きいことがある。様々な使用の場合のシナリオにおいて、階層１ＬＭタグ３０９Ｂと比較してより大きいサイズの階層２ＬＭタグ３０９Ａは、階層２ＬＭタグ３０９Ａと階層１ＬＭタグ３０９Ｂがデータを送信する各信号強度間の差は（例えば、正比例して）相互に関連し得る。
【００５０】
[0057]例えば、階層２ＬＭタグ３０９Ａは、階層１ＬＭタグ３０９Ｂがデータを送信するより低い（または「より弱い」）信号強度より大きい（「より高い」または「より強い」とも称される）信号強度でデータ（例えば、ＩＤ値）を送信し得る。図３および５に関して説明されたように、階層２ＬＭタグ４０９Ａは、ここで説明された資産追跡技術の粗い粒度の態様を支援するためにより大きい信号強度でＩＤ値を送信し得る。反対に、階層１ＬＭタグ３０９Ｂは、ここで説明された資産追跡技術の精細粒度の態様を支援するために、より低い信号強度でＩＤ値を送信し得る。
【００５１】
[0058]この方法において、本開示の技術は、１つまたは複数の位置決めデバイスのそれぞれから、対応する位置識別（ＩＤ）値を受信することと、各受信された位置ＩＤ値と関連付けられる階層値を決定することと、各受信された位置ＩＤ値と各決定された階層値に基づいて資産位置情報を決定することと、決定された資産位置情報を受信機に送信することと、を含む方法に関し得る。例えば、上述された方法は、資産追跡の方法であり得る。いくつかの例にしたがって、各受信された位置ＩＤ値と関連付けられる階層値を決定することは、受信された第１の位置ＩＤ値が第１の階層と関連付けられると決定することと、受信された第２の位置ＩＤ値が第２の階層と関連付けられると決定することを含む。いくつかの例において、資産位置情報を決定することは、第１の階層と関連付けられた第１の位置ＩＤ値のみにしたがって、資産位置情報を決定することを含む。いくつかの例にしたがって、第１の階層と関連付けられた第１の位置ＩＤ値のみにしたがって、資産位置情報を決定することは、第１の階層が精細粒度の位置情報と関連付けられ、第２の階層が粗い粒度の位置情報と関連付けられると決定することを含む。
【００５２】
[0059]いくつかの例にしたがって、資産位置情報を決定することは、第１の階層と関連付けられた第１の位置ＩＤ値および第２の階層と関連付けられた第２の位置ＩＤ値の両方にしたがって、資産位置情報を決定することを含み得る。いくつかの例において、第１の階層と関連付けられた第１の位置ＩＤ値および第２の階層と関連付けられた第２の位置ＩＤ値の両方にしたがって、資産位置情報を決定することは、資産位置情報内に、第１の位置ＩＤ値と第２の位置ＩＤ値の両方を含むことを備え得る。いくつかの例にしたがって、各受信された位置ＩＤ値と関連付けられる階層値を決定することは、受信された第１の位置ＩＤ値が第１の階層と関連付けられると決定することと、受信された第２の位置ＩＤ値が第１の階層と関連付けられると決定することとを含み得る。
【００５３】
[0060]いくつかの例において、各決定された階層値に基づいて資産位置情報を決定することは、受信された第１の位置ＩＤ値と受信された第２の位置ＩＤ値の間で選択を行うこと含み得る。いくつかの例にしたがって、受信された第１の位置ＩＤ値と受信された第２の位置ＩＤ値の間で選択を行うことは、受信された第１の位置ＩＤ値と受信された第２の位置ＩＤ値のうちのどちらがより大きい信号強度と関連付けられるかを決定することを含み得る。いくつかの例において、受信された第１の位置ＩＤ値と受信された第２の位置ＩＤ値のうちのどちらがより大きい信号強度と関連付けられるかを決定することは、受信された第１の位置ＩＤ値と受信された第２の位置ＩＤ値のそれぞれに対応するそれぞれ受信された信号強度インジケータ（ＲＳＳＩ）値を決定することを含み得る。
【００５４】
[0061]この方法において、本開示の態様は、メモリと１つまたは複数のプロセッサを含むデバイスに関し得る。例えば、デバイスは動作可能であるか、または資産追跡を行うように構成される。様々な例にしたがって、１つまたは複数のプロセッサは、１つまたは複数の位置決めデバイスのそれぞれから、対応する位置識別（ＩＤ）値を受信し、各受信された位置ＩＤ値と関連付けられる階層値を決定し、各受信された位置ＩＤ値と各決定された階層値に基づいて資産位置情報を決定し、決定された資産位置情報を受信機に送信するように構成される。いくつかの例にしたがって、各受信された位置ＩＤ値と関連付けられる階層値を決定するために、１つまたは複数のプロセッサは、受信された第１の位置ＩＤ値が第１の階層と関連付けられると決定し、受信された第２の位置ＩＤ値が第２の階層と関連付けられると決定するように構成される。
【００５５】
[0062]いくつかの例にしたがって、資産位置情報を決定するために、１つまたは複数のプロセッサは、第１の階層と関連付けられた第１の位置ＩＤ値のみにしたがって資産位置情報を決定するように構成される。いくつかの例において、第１の階層と関連付けられた第１の位置ＩＤ値のみにしたがって資産位置情報を決定するために、１つまたは複数のプロセッサは、第１の階層が精細粒度の位置情報と関連付けられ、第２の階層が粗い粒度の位置情報と関連付けられると決定するように構成される。いくつかの例にしたがって、資産位置情報を決定するために、１つまたは複数のプロセッサは、第１の階層と関連付けられた第１の位置ＩＤ値と第２の階層と関連付けられた第２の位置ＩＤ値の両方にしたがって資産位置情報を決定するように構成される。
【００５６】
[0063]いくつかの例において、第１の階層と関連付けられた第１の位置ＩＤ値と第２の階層と関連付けられた第２の位置ＩＤ値の両方にしたがって資産位置情報を決定するために、１つまたは複数のプロセッサは、資産位置情報内に、第１の位置ＩＤ値と第２の位置ＩＤ値の両方を含むように構成される。いくつかの例にしたがって、各受信された位置ＩＤ値と関連付けられる階層値を決定するために、１つまたは複数のプロセッサは、受信された第１の位置ＩＤ値が第１の階層と関連付けられると決定し、受信された第２の位置ＩＤ値が第１の階層と関連付けられると決定するように構成される。
【００５７】
[0064]いくつかの例にしたがって、各受信された位置ＩＤ値と各決定された階層値に基づいて資産位置情報を決定するために、１つまたは複数のプロセッサは、受信された第１の位置ＩＤ値と受信された第２の位置ＩＤ値の間で選択を行うように構成される。いくつかの例において、受信された第１の位置ＩＤ値と受信された第２の位置ＩＤ値の間で選択を行うために、１つまたは複数のプロセッサは、受信された第１の位置ＩＤ値と受信された第２の位置ＩＤ値のうちのどちらがより大きい信号強度と関連付けられるかを決定するように構成される。いくつかの例にしたがって、受信された第１の位置ＩＤ値と受信された第２の位置ＩＤ値のうちのどちらがより大きい信号強度と関連付けられるかを決定するために、１つまたは複数のプロセッサは、受信された第１の位置ＩＤ値と受信された第２の位置ＩＤ値のそれぞれに対応する受信されたそれぞれの信号強度インジケータ（ＲＳＳＩ）値を決定するように構成される。
【００５８】
[0065]この方法において、本開示の態様は、実行されたとき、対応する位置識別（ＩＤ）値を１つまたは複数の位置決めデバイスのそれぞれから受信することと、各受信された位置ＩＤ値と関連付けられる階層値を決定することと、各受信された位置ＩＤ値と各決定された階層値に基づいて資産位置情報を決定することと、決定された資産情報を受信機に送信することとをデバイスの１つまたは複数のプロセッサに行わせる命令によって符号化されるコンピュータ可読記憶媒体に関し得る。
【００５９】
[0066]この方法において、本開示の態様は、１つまたは複数のランドマークタグと、それぞれが、対応する位置識別（ＩＤ）値を送信するように構成され、１つまたは複数のランドマークタグから対応する位置ＩＤ値を受信することと、各受信された位置ＩＤ値と関連付けられる階層値を決定することと、各受信された位置ＩＤ値と各決定された階層値に基づいて資産位置情報を決定することと、決定された資産位置情報を送信することと、を行うように構成された資産タグと、を含む資産追跡システムに関し得る。本システムは、資産タグによって送信された資産位置情報を受信することと、受信された資産位置情報を中継することと、を行うように構成された受信機と、受信機によって中継された資産位置情報を受信することと、受信された資産位置情報に基づいて一意の資産識別子を決定することと、決定された一意の資産識別子と受信機を関連付けることと、を行うように構成されたサーバと、をさらに含む。
【００６０】
[0067]限定ではなく例として、こういったコンピュータ可読記憶媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、フラッシュメモリ、または命令またはデータ構造の形式で所望のプログラムコードを記憶するために使用されることが可能であり、かつコンピュータによってアクセス可能な任意の他の媒体を備えることが可能である。また、任意の接続は、コンピュータ可読記憶媒体と適切に呼ばれ得る。例えば、命令が、ウェブサイト、サーバ、または同軸ケーブル、光ファイバーケーブル、ツイストペア、デジタル加入者線（ＤＳＬ）、または赤外線、無線、およびマクロ波のようなワイヤレス技術を使用する他のリモートソースから送信される場合、同軸ケーブル、光ファイバーケーブル、ツイストペア、ＤＳＬ、または赤外線、無線、およびマイクロ波のようなワイヤレス技術が媒体の定義に含まれる。しかし、コンピュータ可読記憶媒体およびデータ記憶媒体は、接続、搬送波、信号、または他の一時的媒体を含まないが、代わりに、非一時的な実体のある記憶媒体に関することが理解されるべきである。ここで用いられたようなディスク（ｄｉｓｋ）およびディスク（ｄｉｓｃ）は、コンパクトディスク（ＣＤ）、レーザーディスク（登録商標）、光学ディスク、デジタル多用途ディスク（ＤＶＤ）、フロッピーディスク、およびＢｌｕ−ｒａｙ（登録商標）ディスクを含み、ここで、ディスク（ｄｉｓｋ）が通常データを磁気的に再生する一方で、ディスク（ｄｉｓｃ）はレーザを用いて光学的にデータを再生する。上記の組み合わせもまた、コンピュータ可読記憶媒体の範囲内に含まれるべきである。
【００６１】
[0068]命令は、１つまたは複数のデジタル信号プロセッサ（ＤＳＰ）、汎用マイクロプロセッサ、特定用途向け集積回路（ＡＳＩＣ）、フィールド・プログラマブル・論理アレイ（ＦＰＧＡ）、または他の等価の集積またはディスクリート論理回路のような１つまたは複数のプロセッサによって実行され得る。従って、ここで用いられたような、用語「プロセッサ」とは、前述の構造、またはここで説明された技術の実装に適した任意の他の構造のいずれかに言及したものである。さらに、いくつかの態様において、ここで説明された機能は、符号化および復号のために構成された専用のハードウェアおよび／またはソフトウェアモジュール内に装備されるか、または組み合わされたコーデックに組み込まれ得る。また、技術は、１つまたは複数の回路または論理要素内に十分に実装され得る。
【００６２】
[0069]本開示の技術は、ワイヤレスハンドセット、集積回路（ＩＣ）、またはＩＣのセット（例えばチップセット）を含む多種多様なデバイスまたは装置内に実装され得る。種々の構成要素、モジュール、またはユニットは、開示された技術を実行するように構成されたデバイスの機能的態様を強調するために本開示において説明されたが、必ずしも異なるハードウェアユニットによる実現を必要としない。むしろ、上述されたように、様々なユニットは、コーデックハードウェアユニット内に組み込まれるか、あるいは、適切なソフトウェアおよび／またはファームウェアと共に上で説明したような１つ又は複数のプロセッサを含む相互に作用するハードウェアユニットの集合によってもたらされ得る。
【００６３】
[0070]様々な例が説明されてきた。これらおよび他の例は、下記の請求項の範囲内にある。
【図１Ａ】
2017504003.tif 000003
【図１Ｂ】
2017504003.tif 000004
【図２】
2017504003.tif 000005
【図３】
2017504003.tif 000006
【図４Ａ】
2017504003.tif 000007
【図４Ｂ】
2017504003.tif 000008
【図５】
2017504003.tif 000009
【図６】
2017504003.tif 000010
【図７】
2017504003.tif 000011
【手続補正書】
【提出日】平成28年7月19日(2016.7.19)
【手続補正１】
【補正対象書類名】特許請求の範囲
【補正対象項目名】全文
【補正方法】変更
【補正の内容】
【特許請求の範囲】
【請求項１】
資産追跡の方法であって、
前記方法は、
資産タグにおいて、１つまたは複数の位置決めデバイスのそれぞれから、対応する位置識別（ＩＤ）値を受信することと、
前記資産タグが、各受信された位置ＩＤ値と関連付けられる階層値を決定することと、各決定された階層値は、前記それぞれの位置決めデバイスによって送信された位置情報の粒度のレベルを示し、
前記資産タグが、各受信された位置ＩＤ値と各決定された階層値に基づいて、前記資産タグと関連付けられる資産位置情報を決定することと、
前記決定された資産位置情報を前記資産タグから受信機に送信することと、
を備える、方法。
【請求項２】
各受信された位置ＩＤ値と関連付けられる前記階層値を決定することは、
前記資産タグが、受信された第１の位置ＩＤ値が第１の階層と関連付けられると決定することと、
前記資産タグが、受信された第２の位置ＩＤ値が第２の階層と関連付けられると決定することと、
を備える、請求項１に記載の方法。
【請求項３】
前記資産位置情報を決定することは、前記資産タグが、前記第１の階層と関連付けられる前記第１の位置ＩＤ値のみにしたがって、前記資産位置情報を決定することを備える、請求項２に記載の方法。
【請求項４】
前記第１の階層と関連付けられる前記第１の位置ＩＤ値のみにしたがって、前記資産位置情報を決定することは、前記資産タグが、前記第１の階層が精細粒度の位置情報と関連付けられ、前記第２の階層が粗い粒度の位置情報と関連付けられると決定することを備える、請求項３に記載の方法。
【請求項５】
前記資産位置情報を決定することは、前記資産タグが、前記第１の階層と関連付けられる前記第１の位置ＩＤ値と前記第２の階層と関連付けられる前記第２の位置ＩＤ値の両方にしたがって、前記資産位置情報を決定することを備える、請求項２に記載の方法。
【請求項６】
前記第１の階層と関連付けられる前記第１の位置ＩＤ値と前記第２の階層と関連付けられる前記第２の位置ＩＤ値の両方にしたがって、前記資産位置情報を決定することは、前記資産タグが、前記資産位置情報内に、前記第１の位置ＩＤ値と前記第２の位置ＩＤ値の両方を含むことを備える、請求項５に記載の方法。
【請求項７】
各受信された位置ＩＤ値と関連付けられる前記階層値を決定することは、
前記資産タグが、受信された第１の位置ＩＤ値が第１の階層と関連付けられると決定することと、
前記資産タグが、受信された第２の位置ＩＤ値が前記第１の階層と関連付けられると決定することと、
を備える、請求項１に記載の方法。
【請求項８】
各決定された階層値に基づいて前記資産位置情報を決定することは、前記資産タグが、前記受信された第１の位置ＩＤ値と前記受信された第２の位置ＩＤ値の間で選択を行うことを備える、請求項７に記載の方法。
【請求項９】
前記受信された第１の位置ＩＤ値と前記受信された第２の位置ＩＤ値の間で選択を行うことは、前記資産タグが、前記受信された第１の位置ＩＤ値と前記受信された第２の位置ＩＤ値のどちらがより大きい信号強度と関連付けられるかを決定することを備える、請求項８に記載の方法。
【請求項１０】
前記受信された第１の位置ＩＤ値と前記受信された第２の位置ＩＤ値のどちらがより大きい信号強度と関連付けられるかを決定することは、前記資産タグが、前記受信された第１の位置ＩＤ値と前記受信された第２の位置ＩＤ値のそれぞれに対応する各々受信された信号強度インジケータ（ＲＳＳＩ）値を決定することを備える、請求項９に記載の方法。
【請求項１１】
資産追跡を実行するために動作可能なデバイスであって、
メモリと、
１つまたは複数の位置決めデバイスのそれぞれから、対応する位置識別（ＩＤ）値を受信することと、
各受信された位置ＩＤ値と関連付けられる階層値を決定することと、各決定された階層値は、前記それぞれの位置決めデバイスによって送信された位置情報の粒度のレベルを示し、
各受信された位置ＩＤ値と各決定された階層値に基づいて、前記デバイスと関連付けられる資産位置情報を決定することと、
前記決定された資産位置情報を受信機に送信することと、
を行うように構成された１つまたは複数のプロセッサと、
を備える、デバイス。
【請求項１２】
各受信された位置ＩＤ値と関連付けられる前記階層値を決定するために、前記１つまたは複数のプロセッサは、
受信された第１の位置ＩＤ値が第１の階層と関連付けられると決定することと、
受信された第２の位置ＩＤ値が第２の階層と関連付けられると決定することと、
を行うように構成される、請求項１１に記載のデバイス。
【請求項１３】
前記資産位置情報を決定するために、前記１つまたは複数のプロセッサは、前記第１の階層と関連付けられる前記第１の位置ＩＤ値のみにしたがって、前記資産位置情報を決定するように構成される、請求項１２に記載のデバイス。
【請求項１４】
前記第１の階層と関連付けられる前記第１の位置ＩＤ値のみにしたがって、前記資産位置情報を決定するために、前記１つまたは複数のプロセッサは、前記第１の階層が精細粒度の位置情報と関連付けられ、前記第２の階層が粗い粒度の位置情報と関連付けられると決定するように構成される、請求項１３に記載のデバイス。
【請求項１５】
前記資産位置情報を決定するために、前記１つまたは複数のプロセッサは、前記第１の階層と関連付けられる前記第１の位置ＩＤ値と前記第２の階層と関連付けられる前記第２の位置ＩＤ値の両方にしたがって、前記資産位置情報を決定するように構成される、請求項１２に記載のデバイス。
【請求項１６】
前記第１の階層と関連付けられる前記第１の位置ＩＤ値と前記第２の階層と関連付けられる前記第２の位置ＩＤ値の両方にしたがって、前記資産位置情報を決定するために、前記１つまたは複数のプロセッサは、前記資産位置情報内に、前記第１の位置ＩＤ値と前記第２の位置ＩＤ値の両方を含むように構成される、請求項１５に記載のデバイス。
【請求項１７】
各受信された位置ＩＤ値と関連付けられる前記階層値を決定するために、前記１つまたは複数のプロセッサは、
受信された第１の位置ＩＤ値が第１の階層と関連付けられると決定することと、
受信された第２の位置ＩＤ値が前記第１の階層と関連付けられると決定することと、
を行うように構成される、請求項１１に記載のデバイス。
【請求項１８】
各受信された位置ＩＤ値と各決定された階層値に基づいて前記資産位置情報を決定するために、前記１つまたは複数のプロセッサは、前記受信された第１の位置ＩＤ値と前記受信された第２の位置ＩＤ値の間で選択を行うように構成される、請求項１７に記載のデバイス。
【請求項１９】
前記受信された第１の位置ＩＤ値と前記受信された第２の位置ＩＤ値の間で選択を行うために、前記１つまたは複数のプロセッサは、前記受信された第１の位置ＩＤ値と前記受信された第２の位置ＩＤ値のどちらがより大きい信号強度と関連付けられるかを決定するように構成される、請求項１８に記載のデバイス。
【請求項２０】
前記受信された第１の位置ＩＤ値と前記受信された第２の位置ＩＤ値のどちらがより大きい信号強度と関連付けられるかを決定するために、前記１つまたは複数のプロセッサは、前記受信された第１の位置ＩＤ値と前記受信された第２の位置ＩＤ値のそれぞれに対応する各々受信された信号強度インジケータ（ＲＳＳＩ）値を決定するように構成される、請求項１９に記載のデバイス。
【請求項２１】
実行されたときに、デバイスの１つまたは複数のプロセッサに、
１つまたは複数の位置決めデバイスのそれぞれから、対応する位置識別（ＩＤ）値を受信することと、
各受信された位置ＩＤ値と関連付けられる階層値を決定することと、各決定された階層値は、前記それぞれの位置決めデバイスによって送信された位置情報の粒度のレベルを示し、
各受信された位置ＩＤ値と各決定された階層値に基づいて、前記デバイスと関連付けられる資産位置情報を決定することと、
前記決定された資産位置情報を受信機に送信することと、
を行わせる命令を用いて符号化された、コンピュータ可読記憶媒体。
【請求項２２】
１つまたは複数のランドマークタグと、それぞれが、対応する位置識別（ＩＤ）値を送信するように構成され、
前記１つまたは複数のランドマークタグから前記対応する位置ＩＤ値を受信することと、
各受信された位置ＩＤ値と関連付けられる階層値を決定することと、各決定された階層値は、前記それぞれの位置決めデバイスによって送信された位置情報の粒度のレベルを示し、
各受信された位置ＩＤ値と各決定された階層値に基づいて、資産タグと関連付けられる資産位置情報を決定することと、
前記決定された資産位置情報を送信することと、
を行うように構成された資産タグと、
前記資産タグによって送信された前記資産位置情報を受信することと、
前記受信された資産位置情報を中継することと、
を行うように構成された受信機と、
前記受信機によって中継された前記資産位置情報を受信することと、
前記受信された資産位置情報に基づいて一意の資産識別子を決定することと、
前記決定された一意の資産識別子と前記受信機を関連付けることと、
を行うように構成されたサーバと、
を備える、資産追跡システム。
【手続補正２】
【補正対象書類名】明細書
【補正対象項目名】００６３
【補正方法】変更
【補正の内容】
【００６３】
[0070]様々な例が説明されてきた。これらおよび他の例は、下記の請求項の範囲内にある。
以下に、本願出願の当初の特許請求の範囲に記載された発明を付記する。
［Ｃ１］
資産追跡の方法であって、
前記方法は、
１つまたは複数の位置決めデバイスのそれぞれから、対応する位置識別（ＩＤ）値を受信することと、
各受信された位置ＩＤ値と関連付けられる階層値を決定することと、
各受信された位置ＩＤ値と各決定された階層値に基づいて資産位置情報を決定することと、
前記決定された資産位置情報を受信機に送信することと、
を備える、方法。
［Ｃ２］
各受信された位置ＩＤ値と関連付けられる前記階層値を決定することは、
受信された第１の位置ＩＤ値が第１の階層と関連付けられると決定することと、
受信された第２の位置ＩＤ値が第２の階層と関連付けられると決定することと、
を備える、Ｃ１に記載の方法。
［Ｃ３］
前記資産位置情報を決定することは、前記第１の階層と関連付けられる前記第１の位置ＩＤ値のみにしたがって、前記資産位置情報を決定することを備える、Ｃ２に記載の方法。
［Ｃ４］
前記第１の階層と関連付けられる前記第１の位置ＩＤ値のみにしたがって、前記資産位置情報を決定することは、前記第１の階層が精細粒度の位置情報と関連付けられ、前記第２の階層が粗い粒度の位置情報と関連付けられると決定することを備える、Ｃ３に記載の方法。
［Ｃ５］
前記資産位置情報を決定することは、前記第１の階層と関連付けられる前記第１の位置ＩＤ値と前記第２の階層と関連付けられる前記第２の位置ＩＤ値の両方にしたがって、前記資産位置情報を決定することを備える、Ｃ２に記載の方法。
［Ｃ６］
前記第１の階層と関連付けられる前記第１の位置ＩＤ値と前記第２の階層と関連付けられる前記第２の位置ＩＤ値の両方にしたがって、前記資産位置情報を決定することは、前記資産位置情報内に、前記第１の位置ＩＤ値と前記第２の位置ＩＤ値の両方を含むことを備える、Ｃ５に記載の方法。
［Ｃ７］
各受信された位置ＩＤ値と関連付けられる前記階層値を決定することは、
受信された第１の位置ＩＤ値が第１の階層と関連付けられると決定することと、
受信された第２の位置ＩＤ値が前記第１の階層と関連付けられると決定することと、
を備える、Ｃ１に記載の方法。
［Ｃ８］
各決定された階層値に基づいて前記資産位置情報を決定することは、前記受信された第１の位置ＩＤ値と前記受信された第２の位置ＩＤ値の間で選択を行うことを備える、Ｃ７に記載の方法。
［Ｃ９］
前記受信された第１の位置ＩＤ値と前記受信された第２の位置ＩＤ値の間で選択を行うことは、前記受信された第１の位置ＩＤ値と前記受信された第２の位置ＩＤ値のどちらがより大きい信号強度と関連付けられるかを決定することを備える、Ｃ８に記載の方法。
［Ｃ１０］
前記受信された第１の位置ＩＤ値と前記受信された第２の位置ＩＤ値のどちらがより大きい信号強度と関連付けられるかを決定することは、前記受信された第１の位置ＩＤ値と前記受信された第２の位置ＩＤ値のそれぞれに対応する各々受信された信号強度インジケータ（ＲＳＳＩ）値を決定することを備える、Ｃ９に記載の方法。
［Ｃ１１］
資産追跡を実行するために動作可能なデバイスであって、
メモリと、
１つまたは複数の位置決めデバイスのそれぞれから、対応する位置識別（ＩＤ）値を受信することと、
各受信された位置ＩＤ値と関連付けられる階層値を決定することと、
各受信された位置ＩＤ値と各決定された階層値に基づいて資産位置情報を決定することと、
前記決定された資産位置情報を受信機に送信することと、
を行うように構成された１つまたは複数のプロセッサと、
を備える、デバイス。
［Ｃ１２］
各受信された位置ＩＤ値と関連付けられる前記階層値を決定するために、前記１つまたは複数のプロセッサは、
受信された第１の位置ＩＤ値が第１の階層と関連付けられると決定することと、
受信された第２の位置ＩＤ値が第２の階層と関連付けられると決定することと、
を行うように構成される、Ｃ１１に記載のデバイス。
［Ｃ１３］
前記資産位置情報を決定するために、前記１つまたは複数のプロセッサは、前記第１の階層と関連付けられる前記第１の位置ＩＤ値のみにしたがって、前記資産位置情報を決定するように構成される、Ｃ１２に記載のデバイス。
［Ｃ１４］
前記第１の階層と関連付けられる前記第１の位置ＩＤ値のみにしたがって、前記資産位置情報を決定するために、前記１つまたは複数のプロセッサは、前記第１の階層が精細粒度の位置情報と関連付けられ、前記第２の階層が粗い粒度の位置情報と関連付けられると決定するように構成される、Ｃ１３に記載のデバイス。
［Ｃ１５］
前記資産位置情報を決定するために、前記１つまたは複数のプロセッサは、前記第１の階層と関連付けられる前記第１の位置ＩＤ値と前記第２の階層と関連付けられる前記第２の位置ＩＤ値の両方にしたがって、前記資産位置情報を決定するように構成される、Ｃ１２に記載のデバイス。
［Ｃ１６］
前記第１の階層と関連付けられる前記第１の位置ＩＤ値と前記第２の階層と関連付けられる前記第２の位置ＩＤ値の両方にしたがって、前記資産位置情報を決定するために、前記１つまたは複数のプロセッサは、前記資産位置情報内に、前記第１の位置ＩＤ値と前記第２の位置ＩＤ値の両方を含むように構成される、Ｃ１５に記載のデバイス。
［Ｃ１７］
各受信された位置ＩＤ値と関連付けられる前記階層値を決定するために、前記１つまたは複数のプロセッサは、
受信された第１の位置ＩＤ値が第１の階層と関連付けられると決定することと、
受信された第２の位置ＩＤ値が前記第１の階層と関連付けられると決定することと、
を行うように構成される、Ｃ１１に記載のデバイス。
［Ｃ１８］
各受信された位置ＩＤ値と各決定された階層値に基づいて前記資産位置情報を決定するために、前記１つまたは複数のプロセッサは、前記受信された第１の位置ＩＤ値と前記受信された第２の位置ＩＤ値の間で選択を行うように構成される、Ｃ１７に記載のデバイス。
［Ｃ１９］
前記受信された第１の位置ＩＤ値と前記受信された第２の位置ＩＤ値の間で選択を行うために、前記１つまたは複数のプロセッサは、前記受信された第１の位置ＩＤ値と前記受信された第２の位置ＩＤ値のどちらがより大きい信号強度と関連付けられるかを決定するように構成される、Ｃ１８に記載のデバイス。
［Ｃ２０］
前記受信された第１の位置ＩＤ値と前記受信された第２の位置ＩＤ値のどちらがより大きい信号強度と関連付けられるかを決定するために、前記１つまたは複数のプロセッサは、前記受信された第１の位置ＩＤ値と前記受信された第２の位置ＩＤ値のそれぞれに対応する各々受信された信号強度インジケータ（ＲＳＳＩ）値を決定するように構成される、Ｃ１９に記載のデバイス。
［Ｃ２１］
実行されたときに、デバイスの１つまたは複数のプロセッサに、
１つまたは複数の位置決めデバイスのそれぞれから、対応する位置識別（ＩＤ）値を受信することと、
各受信された位置ＩＤ値と関連付けられる階層値を決定することと、
各受信された位置ＩＤ値と各決定された階層値に基づいて資産位置情報を決定することと、
前記決定された資産位置情報を受信機に送信することと、
を行わせる命令を用いて符号化された、コンピュータ可読記憶媒体。
［Ｃ２２］
１つまたは複数のランドマークタグと、それぞれが、対応する位置識別（ＩＤ）値を送信するように構成され、
前記１つまたは複数のランドマークタグから前記対応する位置ＩＤ値を受信することと、
各受信された位置ＩＤ値と関連付けられる階層値を決定することと、
各受信された位置ＩＤ値と各決定された階層値に基づいて資産位置情報を決定することと、
前記決定された資産位置情報を送信することと、
を行うように構成された資産タグと、
前記資産タグによって送信された前記資産位置情報を受信することと、
前記受信された資産位置情報を中継することと、
を行うように構成された受信機と、
前記受信機によって中継された前記資産位置情報を受信することと、
前記受信された資産位置情報に基づいて一意の資産識別子を決定することと、
前記決定された一意の資産識別子と前記受信機を関連付けることと、
を行うように構成されたサーバと、
を備える、資産追跡システム。
【国際調査報告】
2017504003.tif 000012